(57)【要約】【課題】使用勝手及び耐久性の向上を図ると共に、１台で種々のヘアースタイルに容易に対応する。【解決手段】本発明は、毛髪を挟持し加熱して該毛髪に癖を付けるためのヘアーアイロン１０において、基端を支点として互いに近接離間方向に回動可能な一対のアーム２１，２２と、各アーム２１，２２の先端側内面にそれぞれ互いに対向して設けられ、前記毛髪を挟持可能な加熱部２３，２４と、加熱部２３，２４から発生した熱を外部に放出可能なように各アーム２１，２２の先端側外面に形成された多数の放熱孔３１と、各アーム２１，２２の先端側外面の先端部において放熱孔３１を避けた位置に形成された凹部３３，３４３と、を備えていることを特徴とする。【選択図】図１
2012075796.tif 000002
【特許請求の範囲】
【請求項１】
毛髪を挟持し加熱して該毛髪に癖を付けるためのヘアーアイロンにおいて、
基端を支点として互いに近接離間方向に回動可能な一対のアームと、
該各アームの先端側内面にそれぞれ互いに対向して設けられ、前記毛髪を挟持可能な加熱部と、
該加熱部から発生した熱を外部に放出可能なように前記各アームの先端側外面に形成された多数の放熱孔と、
前記各アームの先端側外面の先端部において前記放熱孔を避けた位置に形成された凹部と、
を備えていることを特徴とするヘアーアイロン。
【請求項２】
前記各アームの先端側外面には、毛髪を巻き付け可能に湾曲した溝部が外面に多数形成された半円筒状の癖付け部材が着脱自在に設けられ、該癖付け部材を前記各アームの先端側外面に装着した際に前記癖付け部材と前記各放熱孔との間に外部と連通する空気の流通空間が形成されるように構成されている請求項１に記載のヘアーアイロン。
【請求項３】
前記癖付け部材には大小の曲率半径を有する湾曲した溝部が交互に形成されている請求項２に記載のヘアーアイロン。
【請求項４】
前記癖付け部材の頂部にはトルマリンがコーティングされており、前記頂部の両側に前記溝部が形成されている請求項２に記載のヘアーアイロン。
【請求項５】
前記癖付け部材には前記各溝部の間に仕切り部が設けられており、該仕切り部の両端部は櫛状に突出している請求項２に記載のヘアーアイロン。
【発明の詳細な説明】
【技術分野】
【０００１】
本発明は、毛髪を挟持し加熱して該毛髪に癖を付けるためのヘアーアイロンに関するものである。
【背景技術】
【０００２】
従来、毛髪にウェーブやカールを付けたり、毛髪をストレートにしたりする等、毛髪に癖を付けるためにヘアーアイロンが使用されている。
【０００３】
従来のヘアーアイロンは、一般に、基端を支点に回動可能な一対のアームと、該各アームの先端側内面に互いに対向して設けられる加熱部と、該加熱部の反対側であって前記アームの先端側外面に所定の曲率を有して形成される巻付け部とを備えて構成されている。そして、前記加熱部で毛髪を挟持し加熱した後、アームを回して毛髪を巻付け部に巻き付けることにより、毛髪に所定の癖が付けられるようになっている（例えば、特許文献１参照）。
【先行技術文献】
【特許文献】
【０００４】
【特許文献１】特開２００７−２６００５９号公報
【発明の概要】
【発明が解決しようとする課題】
【０００５】
しかしながら、上記した従来のヘアーアイロンを使用する場合、使用者は前記各アームの基端を掴持すると共に前記各アームの先端を互いに押え付ける方向に把持するのが一般的であるが、各アームの先端が把持しやすい形状となっていないため、前記加熱部で毛髪をしっかりと挟持することができず、使用勝手が悪いといった問題があった。
【０００６】
また、前記加熱部から発生した熱が本体内部に篭ってしまい、加熱部等が故障し易く、耐久性の向上が図り難いといった問題もあった。
【０００７】
さらに、上記した従来のヘアーアイロンでは、所定の曲率を有する巻付け部に毛髪を巻きつけてカール等の癖付けを行うようになっているため、癖付けのスタイルが限定されてしまい、１台のヘアーアイロンで種々のヘアースタイルに対応することが難しいといった問題もあった。
【０００８】
本発明は、上記した各種課題を解決すべくなされたものであり、使用勝手及び耐久性の向上を図ると共に、１台で種々のヘアースタイルに容易に対応することのできるヘアーアイロンを提供することを目的とするものである。
【課題を解決するための手段】
【０００９】
上記した目的を達成するため、本発明は、毛髪を挟持し加熱して該毛髪に癖を付けるためのヘアーアイロンにおいて、基端を支点として互いに近接離間方向に回動可能な一対のアームと、該各アームの先端側内面にそれぞれ互いに対向して設けられ、前記毛髪を挟持可能な加熱部と、該加熱部から発生した熱を外部に放出可能なように前記各アームの先端側外面に形成された多数の放熱孔と、前記各アームの先端側外面の先端部において前記放熱孔を避けた位置に形成された凹部と、を備えていることを特徴とする。
【００１０】
そして、本発明に係るヘアーアイロンにおいて、前記各アームの先端側外面には、毛髪を巻き付け可能に湾曲した溝部が外面に多数形成された半円筒状の癖付け部材が着脱自在に設けられ、該癖付け部材を前記各アームの先端側外面に装着した際に前記癖付け部材と前記各放熱孔との間に外部と連通する空気の流通空間が形成されるように構成されているのが好ましい。
【００１１】
また、本発明に係るヘアーアイロンにおいて、前記癖付け部材には大小の曲率半径を有する湾曲した溝部が交互に形成されていてもよい。
【００１２】
さらに、本発明に係るヘアーアイロンにおいて、前記癖付け部材の頂部にはトルマリンがコーティングされており、前記頂部の両側に前記溝部が形成されていてもよい。
【００１３】
さらにまた、本発明に係るヘアーアイロンにおいて、前記癖付け部材には前記各溝部の間に仕切り部が設けられており、該仕切り部の両端部は櫛状に突出していてもよい。
【発明の効果】
【００１４】
本発明によれば、使用勝手及び耐久性の向上を図ると共に、１台で種々のヘアースタイルに容易に対応することができる等、種々の効果を得ることができる。
【図面の簡単な説明】
【００１５】
【図１】本発明の実施の形態に係るヘアーアイロンの本体を示す斜視図である。
【図２】本発明の実施の形態に係るヘアーアイロンの癖付け部材を示す斜視図である。
【図３】本発明の実施の形態に係るヘアーアイロンの大サイズの癖付け部材を示す斜視図である。
【図４】本発明の実施の形態に係るヘアーアイロンの小サイズの癖付け部材を示す斜視図である。
【図５】本発明の実施の形態に係るヘアーアイロンの別のタイプの癖付け部材を示す斜視図である。
【図６】本発明の実施の形態に係るヘアーアイロンのさらに別のタイプの癖付け部材を示す斜視図である。
【図７】本発明の実施の形態に係るヘアーアイロンのさらに別のタイプの癖付け部材を示す斜視図である。
【発明を実施するための形態】
【００１６】
以下、図面を参照しつつ、本発明の実施の形態に係るヘアーアイロンについて説明する。
【００１７】
本発明の実施の形態に係るヘアーアイロン１０は、本体２０と、本体２０に着脱自在に設けられる癖付け部材４０とにより構成されている。
【００１８】
図１に示すように、本体２０は、基端を支点として互いに近接離間方向に回動可能なように連結される一対のアーム２１，２２と、各アーム２１，２２の先端側内面にそれぞれ互いに対向して設けられる加熱部２３，２４とを備えている。
【００１９】
一対のアーム２１，２２は、耐熱性及び不燃又は難燃性プラスチックの内部に断熱又は遮熱性素材が充填されて形成され、基端側に設けられる板バネ（図示省略）等の弾性部材によって互いに離間方向に付勢され、先端の離間距離が例えば５ｃｍ以上確保できるようになっている。また、一対のアーム２１，２２の基端側には把持部２５，２６が形成されており、いずれか一方の把持部２５の内側にはリチウム電池等のバッテリ（図示省略）を収容するバッテリ収容部（図示省略）が設けられている。このバッテリ収容部の開口面は蒲鉾状に湾曲した蓋体２７により閉塞されており、この蓋体２７の一端面には係止凹部２８が形成され、前記バッテリの交換時にこの係止凹部２８に爪や治具等を係止させることにより蓋体２７を簡単に開放できるようになっている。
【００２０】
いずれか他方のアーム２２の基端側には、側面に加熱部２３，２４のオン・オフや温度を設定するために操作部２９が設けられていると共に、上側部分にＬＣＤディスプレイ３０が設けられ、このＬＣＤディスプレイ３０には操作部２９の押圧操作に従って加熱部２３，２４の設定温度や表面温度及び電池残量等が表示されるようになっている。
【００２１】
各アーム２１，２２の先端側外面の左右側面には、それぞれ多数の放熱孔３１が穿設されており、これらの放熱孔３１を介して加熱部２３，２４から発生した熱を外部に放出できるようになっている。また、各アーム２１，２２の先端側外面の先端部は先細形状を成し、この先端部の放熱孔３１を避けた位置に凹部３３，３４がそれぞれ形成されている。さらにまた、各アーム２１，２２の先端側外面の左右側面には、アーム２１，２２の長手方向に沿って直線状に係合溝３５，３６がそれぞれ形成されている。
【００２２】
図２に示すように、癖付け部材４０は半円筒形状を成しており、外面には癖付け部材４０の周形状に沿って湾曲した仕切り部４１が軸方向に所定間隔で多数突設されている。そして、各仕切り部４１の間にはそれぞれ溝部４２が癖付け部材４０の周形状に沿って湾曲して形成されており、この溝部４２に毛髪を巻き付け可能となっている。
【００２３】
また、癖付け部材４０の内面の互いに対向する位置には、突条部４３，４４がそれぞれ突設されており、突条部４３，４４をそれぞれアーム２１，２２の先端側から係合溝３５，３６に挿入することにより、癖付け部材４０が本体２０のアーム２１，２２にそれぞれ装着されるようになっている。そして、癖付け部材４０をそれぞれ装着したアーム２１，２２を閉じて合わせると、一対の癖付け部材４０，４０によって円筒状に形成されるようになっている。
【００２４】
また、癖付け部材４０が本体２０のアーム２１，２２に装着された際には、癖付け部材４０と各放熱孔３１との間に空気の流通空間が形成され、この流通空間は先端側及び基端側に形成された各開口３７を介して外部と連通するようになっている。これにより、癖付け部材４０を本体２０に装着した時でも、各放熱孔３１，３２から放出された熱は前記流通空間及び開口３７を介して外部に確実に放出される。
【００２５】
なお、癖付け部材は、例えば、図３に示されているように、曲率半径のより大きい大サイズのもの５０や、図４に示されているように、曲率半径のより小さい小サイズのもの６０など、サイズの異なる癖付け部材５０，６０を用意しておくこともできる。これにより、使用者の好みに応じて、カールやウェーブの大きさを自由に変えることができる。
【００２６】
さらにまた、図５に示されているように、大小の曲率半径を有する湾曲した溝部７１，７２が交互に形成されている癖付け部材７０や、図６に示されているように、頂部にトルマリンがコーティングされた平板部８１が形成されていると共に平板部８１の左右両側に溝部８２が形成されている癖付け部材８０や、図７に示されているように、各溝部９１の間に形成された仕切り部９２の左右両端部９３，９４が櫛状に突出している癖付け部材９０など、タイプの異なる癖付け部材を用意しておくこともできる。これにより、図５の癖付け部材７０の場合の場合には毛髪のカールやウェーブに変化を持たせたり、或いは、図６の癖付け部材８０の場合には艶のある美しい毛髪を与えたり、或いは、図７の癖付け部材９０の場合にはボリュームのあるカールやウェーブを毛髪に与えたりすることができる。
【００２７】
このように上記した構成を備えた本発明の実施の形態に係るヘアーアイロン１０によれば、毛髪にカールやウェーブ等の癖を付ける場合、ユーザの好みに合った曲率半径を有する癖付け部材４０，５０，６０，７０，８０，９０を選択し、本体２０に装着することによって、１台のヘアーアイロン１０で種々のヘアースタイルを容易に作り上げることができるようになる。
【００２８】
また、本発明の実施の形態に係るヘアーアイロン１０は、各アーム２１，２２の先端に形成された凹部３３，３４によってアーム２１，２２の先端を把持しやすい形状を備えているため、ヘアーアイロン１０の使用時に各アーム２１，２２の基端を掴持すると共に凹部３３，３４を互いに押え付ける方向にしっかりと把持することができる。したがって、加熱部２３，２４で毛髪をしっかりと挟持することができず、使用勝手の向上を図ることができる。
【００２９】
さらに、加熱部２３，２４から発生した熱は、癖付け部材４０を本体２０に未装着の場合は各放熱孔３１，３２から直接外部に放出される一方、癖付け部材４０を本体２０に装着した場合は各放熱孔３１，３２から前記流通空間及び開口３７を通って外部に確実に放出されるため、前記熱が本体２０の内部に篭ることがなく、ヘアーアイロン１０の耐久性を向上させることができる。
【符号の説明】
【００３０】
１０          ヘアーアイロン
２１          アーム
２２          アーム
２３          加熱部
２４          加熱部
３１          放熱孔
３３          凹部
３４          凹部
４０          癖付け部材
４２          溝部
５０          癖付け部材
６０          癖付け部材
７０          癖付け部材
７１          溝部
７２          溝部
８０          癖付け部材
８２          溝部
９０          癖付け部材
９２          仕切り部
９３          端部
９４          端部
【図１】
2012075796.tif 000003
【図２】
2012075796.tif 000004
【図３】
2012075796.tif 000005
【図４】
2012075796.tif 000006
【図５】
2012075796.tif 000007
【図６】
2012075796.tif 000008
【図７】
2012075796.tif 000009